(57)【要約】無線通信のラジオ・リンク制御（ＲＬＣ）レイヤにおける無効なサービス・データ・ユニット（ＳＤＵ）の帯域内通知を容易にするシステムおよび方法が記載される。特に、プロトコル・データ・ユニット（ＰＤＵ）再送信中にＳＤＵが無効になった場合、受信機による受信および解釈のために、帯域内通知が再送信ＰＤＵ内にパックされうる。帯域内通知は、前に部分的に受信されたＳＤＵの破棄を示す専用長さインジケータであり、ＰＤＵの送信機は、無効なＳＤＵを再送信しないことによってペイロードを節約しうる。この点に関し、破棄を示すために、追加のチャネル、媒体、および／または、その他の帯域外通知は必要とされない。
2011505730.tif 000002
【特許請求の範囲】
【請求項１】
無線通信ネットワークにおいて、無効になったサービス・データ・ユニット（ＳＤＵ）を破棄する方法であって、
第１のプロトコル・データ・ユニット（ＰＤＵ）で第１のＳＤＵの一部が送信された後に、前記第１のＳＤＵが無効であることを示す無効ステータスを受信することと、
前記第１のＳＤＵの一部のサブセットを、再送信ＰＤＵ内にパックすることと、
前記再送信ＰＤＵを、１または複数のデバイスへ送信することと
を備える方法。
【請求項２】
前記第１のＳＤＵの一部のサブセットは、前記第１のＳＤＵの一部のサブセットに関連付する、前記再送信ＰＤＵ内の長さインジケータに関連付けられた請求項１に記載の方法。
【請求項３】
前記長さインジケータは、前記第１のＳＤＵの無効ステータスを示す専用長さインジケータである請求項２に記載の方法。
【請求項４】
前記第１のＳＤＵの別の部分を、前のＰＤＵで送信することをさらに備える請求項１に記載の方法。
【請求項５】
前記第１のＳＤＵの一部を、第２のＳＤＵの一部とともに、前記第１のＰＤＵで送信することをさらに備える請求項１に記載の方法。
【請求項６】
前記第１のＰＤＵの受信時に、誤りを示すインジケーションを受信することをさらに備える請求項１に記載の方法。
【請求項７】
前記第１のＰＤＵの受信時に、誤りを示すインジケーションを受信することに応答して、前記再送信ＰＤＵがパックされる請求項６に記載の方法。
【請求項８】
前記第１のＰＤＵおよび前記再送信ＰＤＵは、実質的に同じプロトコル・シーケンス番号を有する請求項１に記載の方法。
【請求項９】
無線通信装置であって、
ラジオ・リンク制御（ＲＬＣ）レイヤにおいて受信されたサービス・データ・ユニット（ＳＤＵ）が無効であることを示す無効ステータスを判定し、
前記無効ステータスに少なくとも部分的に基づいて、前記ＳＤＵの一部、および／または、長さインジケータを備える再送信プロトコル・データ・ユニット（ＰＤＵ）を生成し、
前記再送信ＰＤＵを１または複数のデバイスへ送信する
ように構成された少なくとも１つのプロセッサと、
前記少なくとも１つのプロセッサに連結されたメモリと
を備える無線通信装置。
【請求項１０】
前記ＳＤＵの無効ステータスは、前記ＳＤＵが古くて役に立たないことを示し、前記ＳＤＵの長さインジケータは、前記ＳＤＵが破棄されたことを示す請求項９に記載の無線通信装置。
【請求項１１】
前記少なくとも１つのプロセッサはさらに、前記再送信ＰＤＵよりも前記ＳＤＵを多く備える、前のＰＤＵについての否定的なアクノレッジメントを受信するように構成された請求項９に記載の無線通信装置。
【請求項１２】
前記否定的なアクノレッジメントに応答して、前記再送信ＰＤＵが生成される請求項１１に記載の無線通信装置。
【請求項１３】
前記再送信ＰＤＵはさらに、当該前のＰＤＵで送信された次のＳＤＵの一部を備える請求項１１に記載の無線通信装置。
【請求項１４】
当該前のＰＤＵおよび再送信ＰＤＵは、実質的に同じプロトコル・シーケンス番号を有する請求項１１に記載の無線通信装置。
【請求項１５】
前記少なくとも１つのプロセッサはさらに、送信するためのＳＤＵを受信すると、無効ＳＤＵタイマを起動するように構成された請求項９に記載の無線通信装置。
【請求項１６】
無線通信ネットワークにおけるラジオ・リンク制御（ＲＬＣ）レイヤにおいて、無効になったデータを破棄する無線通信装置であって、
サービス・データ・ユニット（ＳＤＵ）が無効であることを示す無効ステータスを受信する手段と、
前記ＳＤＵの無効ステータスに少なくとも部分的に基づいて、帯域内無効データ・インジケータとともに再送信プロトコル・データ・ユニット（ＰＤＵ）をパッケージする手段と、
前記再送信ＰＤＵを１または複数のデバイスへ送信する手段と
を備える無線通信装置。
【請求項１７】
前記無効データ・インジケータは、前記ＳＤＵの破棄を示す専用長さインジケータである請求項１６に記載の無線通信装置。
【請求項１８】
前記無効データ・インジケータは、より高次レイヤのアプリケーションによって破棄されデータが切り詰められたＳＤＵを含む請求項１６に記載の無線通信装置。
【請求項１９】
前記ＳＤＵの一部、および、第２のＳＤＵの一部を備える、前のＰＤＵを送信する手段をさらに備える請求項１６に記載の無線通信装置。
【請求項２０】
当該前のＰＤＵについての、否定的なアクノレッジメントを受信する手段をさらに備え、
前記再送信ＰＤＵは、前記否定的なアクノレッジメントに少なくとも部分的に基づいてパッケージされる請求項１９に記載の無線通信装置。
【請求項２１】
前記ＳＤＵの一部が、前記再送信ＰＤＵから外れると、前記ＰＤＵは、当該前のＰＤＵよりも小さなペイロードを有する請求項１９に記載の無線通信装置。
【請求項２２】
前記第２のＳＤＵの一部が、前記再送信ＰＤＵ内に、前記専用長さインジケータとともにパッケージされる請求項１９に記載の無線通信装置。
【請求項２３】
当該前のＰＤＵと再送信ＰＤＵとは、実質的に同じプロトコル・シーケンス番号を有する請求項１９に記載の無線通信装置。
【請求項２４】
コンピュータ読取可能媒体を備えたコンピュータ・プログラム製品であって、
前記コンピュータ読取可能媒体は、
少なくとも１つのコンピュータに対して、サービス・データ・ユニット（ＳＤＵ）が無効であることを示す無効ステータスを受信させるためのコードと、
前記少なくとも１つのコンピュータに対して、前記ＳＤＵの無効ステータスに少なくとも部分的に基づいて、再送信プロトコル・データ・ユニット（ＰＤＵ）を長さインジケータとともにパッケージさせるためのコードと、
前記少なくとも１つのコンピュータに対して、前記再送信ＰＵＤを１または複数のデバイスへ送信させるためのコードと
を備えるコンピュータ・プログラム製品。
【請求項２５】
前記ＳＤＵの無効ステータスは、古くて役に立たないことを示し、前記長さインジケータは、前記ＳＤＵの破棄を示す専用長さインジケータである請求項２４に記載のコンピュータ・プログラム製品。
【請求項２６】
無線通信ネットワークにおけるラジオ・リンク制御（ＲＬＣ）レイヤにおいてデータを破棄する方法であって、
１または複数の送信機から再送信プロトコル・データ・ユニット（ＰＤＵ）を受信することと、
前に部分的に受信したサービス・データ・ユニット（ＳＤＵ）の破棄を示す、前記再送信ＰＤＵ内の専用長さインジケータを識別することと、
当該前に部分的に受信したＳＤＵを破棄することと
を備える方法。
【請求項２７】
前記再送信ＰＤＵに残っている１または複数のＳＤＵを処理することをさらに備える請求項２６に記載の方法。
【請求項２８】
前記専用長さインジケータにしたがって、前記ＳＤＵおよび／または追加のＳＤＵの破棄を、上部レイヤに示すことをさらに備える請求項２６に記載の方法。
【請求項２９】
前のＰＤＵを誤って受信することをさらに備え、
当該前のＰＵＤは、前に部分的に受信したＳＤＵのうちの残りの部分を備える請求項２６に記載の方法。
【請求項３０】
当該前のＰＤＵを誤って受信したことに少なくとも部分的に基づいて、否定的なアクノレッジメント・インジケータを送信することをさらに備える請求項２８に記載の方法。
【請求項３１】
前記再送信ＰＤＵは、前記否定的なアクノレッジメント・インジケータを送信することに少なくとも部分的に基づいて受信される請求項３０に記載の方法。
【請求項３２】
無線通信装置であって、
１または複数の送信機から再送信プロトコル・データ・ユニット（ＰＤＵ）を受信し、
前に部分的に受信したサービス・データ・ユニット（ＳＤＵ）に関連する、前記再送信ＰＤＵ内の専用長さインジケータを判定し、
前の部分的に受信したＳＤＵを、前記専用長さインジケータに少なくとも部分的に基づいて破棄する
ように構成された少なくとも１つのプロセッサと、
前記少なくとも１つのプロセッサに連結されたメモリと
を備える無線通信装置。
【請求項３３】
前記少なくとも１つのプロセッサはさらに、前記再送信ＰＤＵに残っている１または複数のＳＤＵを処理するように構成された請求項３２に記載の無線通信装置。
【請求項３４】
前記少なくとも１つのプロセッサはさらに、前記専用長さインジケータにしたがって、前に部分的に受信したＳＤＵおよび／または追加のＳＤＵの破棄を、上部レイヤへ示すように構成された請求項３２に記載の無線通信装置。
【請求項３５】
前記少なくとも１つのプロセッサはさらに、前のＰＤＵを誤って受信するように構成され、
当該前のＰＤＵは、前に部分的に受信したＳＤＵの残りの部分を備える請求項３２に記載の無線通信装置。
【請求項３６】
前記少なくとも１つのプロセッサはさらに、当該前のＰＤＵを誤って受信したことに少なくとも部分的に基づいて、否定的なアクノレッジメント・インジケータを送信するように構成された請求項３５に記載の無線通信装置。
【請求項３７】
前記再送信ＰＤＵは、前記否定的なアクノレッジメントに少なくとも部分的に基づいて受信される請求項３６に記載の無線通信装置。
【請求項３８】
無線通信ネットワークにおいてサービス・データ・ユニット（ＳＤＵ）を破棄する無線通信装置であって、
再送信されたプロトコル・データ・ユニット（ＰＤＵ）を受信する手段と、
前記再送信されたＰＤＵにおける専用長さインジケータを検出する手段と、
前に受信したＳＤＵの一部を、前記専用長さインジケータに少なくとも部分的に基づいて破棄する手段と
を備える無線通信装置。
【請求項３９】
前記ＰＤＵにおける１または複数の別のＳＤＵを判定する手段をさらに備える請求項３８に記載の無線通信装置。
【請求項４０】
前に受信したＳＤＵの一部、および、前記１または複数の別のＳＤＵの一部を備える、前のＰＤＵを受信する手段をさらに備える請求項３９に記載の無線通信装置。
【請求項４１】
当該前のＰＤＵに関連する否定的なアクノレッジメントを送信する手段をさらに備え、
前記再送信されたＰＤＵは、前記否定的なアクノレッジメントに応答して受信される請求項４０に記載の無線通信装置。
【請求項４２】
前記専用長さインジケータにしたがって、前に部分的に受信したＳＤＵおよび／または追加のＳＤＵの破棄を、上部レイヤへ示す手段をさらに備える請求項３８に記載の無線通信装置。
【請求項４３】
前に受信され破棄されたＳＤＵの一部を、前のＰＤＵで受信する手段をさらに備える請求項３８に記載の無線通信装置。
【請求項４４】
コンピュータ読取可能媒体を備えるコンピュータ・プログラム製品であって、
前記コンピュータ読取可能媒体は、
少なくとも１つのコンピュータに対して、１または複数の送信機から、再送信プロトコル・データ・ユニット（ＰＤＵ）を受信させるためのコードと、
前記少なくとも１つのコンピュータに対して、前に部分的に受信したサービス・データ・ユニット（ＳＤＵ）の破棄を示す、前記再送信ＰＤＵ内の専用長さインジケータを識別させるためのコードと、
前記少なくとも１つのコンピュータに対して、前に部分的に受信したＳＤＵを破棄させるためのコードと
を備えるコンピュータ・プログラム製品。
【請求項４５】
前記コンピュータ読取可能媒体はさらに、
前記少なくとも１つのコンピュータに対して、前記再送信ＰＤＵに残っている１または複数のＳＤＵを処理させるためのコードをさらに備える請求項４４に記載のコンピュータ・プログラム製品。
【発明の詳細な説明】
【優先権主張】
【０００１】
本願は"APPARATUS AND METHOD FOR DATA DISCARD IN LONG TERM EVOLUTION RADIO LINK CONTROL"と題され２００７年１１月２１日に出願された米国仮出願６０／９８９，５２９号の利益を主張する。上記出願の全体は、参照によって本明細書に組み込まれる。
【技術分野】
【０００２】
以下の記載は、一般に、無線通信に関し、さらに詳しくは、無線通信ネットワークにおけるラジオ・リンク・レイヤにおいてデータを破棄することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。それに加えて、モバイル・デバイスおよび基地局は、アンテナによる送信のためにデータをパッケージするために、ラジオ・リンク制御（ＲＬＣ）レイヤを利用しうる。特に、モバイル・デバイスおよび基地局は、送信するデータの論理部分を表すサービス・データ・ユニット（ＳＤＵ）を定義しうる。これは、ＲＬＣレイヤにおいて、アンテナを介した送信のために、１または複数の固定長または可変長のサイズのプロトコル・データ・ユニット（ＰＤＵ）に関連付けられうる。
【０００６】
それに加えて、モバイル・デバイスおよび基地局は、オーバ・ザ・エア通信における誤りを補償できるほど正しく受信されなかった場合には、ＰＤＵが再送信される自動反復要求（ＡＲＱ）通信スキームを適用しうる。さらに、可変長のＰＤＵを用いて、ＡＲＱラウンドは、前のラウンドよりも多いまたは少ないＳＤＵデータを含むＰＤＵの再セグメンテーションとなる。したがって、再送信は、オリジナルの送信とは異なって現われうる。しかしながら、無線通信データは、技術のリアル・タイム特性により、期限切れにより無効になるので、価値を著しく失う。したがって、再送信中のある時点において、受信機に対して、これら無効になったデータを破棄することを通知することは有用でありうる。そして、ＳＤＵは、そのような無効になったとのステータスを示すタイマに関連付けられうる。その他の技術は、データをデバイス間で通信するために、個別の通信媒体またはチャネルを生成するシステムを提案する。
【発明の概要】
【０００７】
以下は、１または複数の実施形態の基本的な理解を提供するために、これら実施形態の簡単な概要を示す。この概要は、考えられるすべての実施形態の広範な概観ではなく、すべての実施形態の重要要素または決定的要素を特定することでもなく、任意またはすべての実施形態の範囲を線引きすることも意図されていない。その唯一の目的は、１または複数の実施形態のいくつかの概念を、後に示されるより詳細な記載に対する前置きとして、より簡単な形式で表すことである。
【０００８】
１または複数の実施形態および対応する開示によれば、さまざまな態様が、無線ネットワークにおけるデータ破棄を帯域内シグナリング・リソースを用いて容易にすることに関連して記載される。これは、破棄命令を送信するために個別の通信媒体またはチャネルを生成する必要性を緩和する。一例において、ＳＤＵの終了位置を示すために、別のデバイスへ送信された１または複数の関連するプロトコル・データ・ユニット（ＰＤＵ）内に、サービス・データ・ユニット（ＳＤＵ）長さインジケータが提供されうる。それに加えて、この長さインジケータは、送信されたＳＤＵが破棄された時を明示するように修正されうる。この点に関し、受信デバイスは、ＳＤＵを破棄し、次のＳＤＵの処理に移る。
【０００９】
関連する態様によれば、無線通信ネットワークにおいて、無効になったＳＤＵを破棄する方法が提供される。この方法は、第１のＰＤＵで第１のＳＤＵの一部が送信された後に、第１のＳＤＵが無効であることを示す無効ステータスを受信することを備える。この方法はさらに、第１のＳＤＵの一部のサブセットを、再送信ＰＤＵ内にパックすることと、再送信ＰＤＵを、１または複数のデバイスへ送信することとを含みうる。
【００１０】
別の態様は、無線通信装置に関する。この無線通信装置は、ラジオ・リンク制御（ＲＬＣ）レイヤにおいて受信されたＳＤＵが無効であることを示す無効ステータスを判定する少なくとも１つのプロセッサを含みうる。少なくとも１つのプロセッサはさらに、無効になったとのステータスに少なくとも部分的に基づいて、ＳＤＵの一部、および／または、長さインジケータを備える再送信ＰＤＵを生成し、再送信ＰＤＵを１または複数のデバイスへ送信するように構成される。この無線通信装置はさらに、少なくとも１つのプロセッサに結合されたメモリをも含みうる。
【００１１】
また別の態様は、無線通信ネットワークにおけるＲＬＣレイヤにおいて、無効になったデータを破棄する無線通信装置に関する。この無線通信装置は、ＳＤＵが無効であることを示す無効ステータスを受信する手段を備えうる。この無線通信装置はさらに、ＳＤＵの無効ステータスに少なくとも部分的に基づいて、帯域内無効データ・インジケータとともに再送信ＰＤＵをパッケージする手段と、再送信ＰＤＵを１または複数のデバイスへ送信する手段とを含みうる。
【００１２】
さらに別の態様は、コンピュータ・プログラム製品に関する。これは、少なくとも１つのコンピュータに対して、ＳＤＵが無効であることを示す無効ステータスを受信させるためのコードを含むコンピュータ読取可能媒体を有しうる。このコンピュータ読取可能媒体はさらに、少なくとも１つのコンピュータに対して、ＳＤＵの無効ステータスに少なくとも部分的に基づいて、長さインジケータとともに再送信ＰＤＵをパッケージさせるためのコードを備えうる。さらに、このコンピュータ読取可能媒体は、少なくとも１つのコンピュータに対して、再送信ＰＤＵを１または複数のデバイスへ送信させるためのコードを備えうる。
【００１３】
さらなる態様によれば、無線通信ネットワーク内のＲＬＣレイヤにおいてデータを破棄する方法が示される。この方法は、１または複数の送信機から再送信ＰＤＵを受信することを含みうる。この方法はさらに、前に部分的に受信したＳＤＵの破棄を示すＰＤＵ内の専用長さインジケータを識別することと、前に部分的に受信したＳＤＵを破棄することとを含みうる。
【００１４】
別の態様は、無線通信装置に関する。この無線通信装置は、１または複数の送信機から再送信ＰＤＵを受信し、前に部分的に受信したＳＤＵに関連するＰＤＵ内の専用長さインジケータを判定するように構成された少なくとも１つのプロセッサを含みうる。この少なくとも１つのプロセッサはさらに、専用長さインジケータに少なくとも部分的に基づいて、前に部分的に受信したＳＤＵを破棄するように構成されうる。この無線通信装置はさらに、少なくとも１つのプロセッサに結合されたメモリをも含みうる。
【００１５】
また、別の態様は、無線通信ネットワークにおいてＳＤＵを破棄する無線通信装置に関連する。この無線通信装置は、再送信されたＰＤＵを受信する手段と、再送信されたＰＤＵ内の専用長さインジケータを検出する手段とを備えうる。この無線通信装置はさらに、専用長さインジケータに少なくとも部分的に基づいて、前に受信したＳＤＵの一部を破棄する手段を含みうる。
【００１６】
さらに別の態様は、コンピュータ・プログラム製品に関する。これは、少なくとも１つのコンピュータに対して、１または複数の送信機から再送信ＰＤＵを受信させるためのコードを含むコンピュータ読取可能媒体を有しうる。コンピュータ読取可能媒体はさらに、少なくとも１つのコンピュータに対して、前に部分的に受信されたＳＤＵの破棄を示すＰＤＵ内の専用長さインジケータを識別させるためのコードを備えうる。さらに、このコンピュータ読取可能媒体は、少なくとも１つのコンピュータに対して、前に部分的に受信したＳＤＵを破棄させるためのコードを備えうる。
【００１７】
前述した目的および関連する目的を達成するために、１または複数の実施形態は、以下に十分説明され、特に特許請求の範囲で指摘される特徴を備える。以下の記載および関連する図面は、１または複数の実施形態のある例示的な態様を詳細に述べる。これらの態様は、さまざまな実施形態の原理が適用されるさまざまな方法のうちのほんのいくつかを示すのみであり、記載された実施形態は、そのようなすべての態様およびそれらの均等物を含むことが意図される。
【図面の簡単な説明】
【００１８】
【図１】図１は、本明細書に記載されたさまざまな態様にしたがう無線通信システムの実例である。
【図２】図２は、無線通信環境において適用される通信装置の実例である。
【図３】図３は、無効になったサービス・データ・ユニット（ＳＤＵ）を示す帯域内インジケーションを有効にする無線通信システムの実例である。
【図４】図４は、プロトコル・データ・ユニット（ＰＤＵ）の送信および再送達のための構成の実例である。
【図５】図５は、無効ＳＤＵインジケータを備えるＰＤＵを再送信することを容易にする方法の実例である。
【図６】図６は、１または複数の無効になったＳＤＵを破棄することを容易にする方法の実例である。
【図７】図７は、無効になったＳＤＵを示す帯域内インジケーションを容易にするモバイル・デバイスの実例である。
【図８】図８は、ＰＤＵにおける通知を受信すると、無効になったＳＤＵを破棄することを容易にするシステムの実例である。
【図９】図９は、本明細書に記載されたさまざまなシステムおよび方法とともに適用可能な無線ネットワーク環境の実例である。
【図１０】図１０は、帯域内で無効ＳＤＵインジケータを送信するシステムの実例である。
【図１１】図１１は、帯域内の無効ＳＤＵインジケータにしたがって、無効になったＳＤＵを破棄するシステムの実例である。
【発明を実施するための形態】
【００１９】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２１】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用され、アクセス・ポイント、ノードＢ、イボルブド・ノードＢ（ｅノードＢまたはｅＮＢ）、基地トランシーバ局（ＢＴＳ）、あるいはその他いくつかの専門用語で称されうる。
【００２２】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２３】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。ＣＤＭＡ２０００およびＵＭＢは、「第３世代パートナシップ計画プロジェクト」（３ＧＰＰ２）と命名された組織からドキュメントに記述されている。
【００２４】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２５】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。さらに、また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、図示するように、ピア・トゥ・ピアまたはアド・ホック技術を用いて互いにダイレクトに通信しうる。
【００２７】
例によれば、システム１００は、複数入力複数出力（ＭＩＭＯ）通信システムでありうる。さらに、システム１００は、通信チャネル（例えば、順方向リンク、逆方向リンク）を分割するために、例えばＦＤＤ、ＴＤＤ等のような実質的に任意のタイプのデュプレクス技術を適用しうる。さらに、基地局１０２およびモバイル・デバイス１１６、１２２は、物理レイヤ上の多くの論理通信レイヤで通信しうる。これらレイヤは、１または複数のサービス・データ・ユニット（ＳＤＵ）を、プロトコル・レベルで送信された１または複数のプロトコル・データ・ユニット（ＰＤＵ）に変換するラジオ・リンク制御（ＲＬＣ）レイヤを含みうる。例えば、１または複数のＳＤＵが連結され、単一のＰＤＵで送信されるように、ＳＤＵサイズは、ＰＤＵサイズとは異なりうる。同様に、ＳＤＵの部分がセグメント化され、複数のＰＤＵで送信されうる。さらに、ＰＤＵは、ＳＤＵセグメントによって連結された多くの完全なＳＤＵを備えうる。さらに、所与のＳＤＵおよび／またはＰＤＵの長さは、実質的に任意の点において変動し、ＰＤＵ内のおのおののＳＤＵの長さおよび終了位置を示すインジケータが望まれる。これは、例えば、ＰＤＵのヘッダ内に存在するか、および／または、おのおののＳＤＵを終了させる。
【００２８】
一例において、そのような長さインジケータは、ＰＤＵにおいて提供され、ＰＤＵの受信機は、受信すると、ＳＤＵをコヒーレントに分離しうる。したがって、一例では、モバイル・デバイス１１６および／またはモバイル・デバイス１２２は、ＲＬＣレイヤ・データを基地局１０２に送信しうる。ＲＬＣレイヤ・データは、ＳＤＵがどこで終了するかあるいは開始するかを示す長さインジケータとともに、１または複数のＳＤＵのうちの１または複数の部分を示す可変長ＰＤＵを備える。それに加えて、基地局１０２およびモバイル・デバイス１１６および／またはモバイル・デバイス１２２は、正確に受信されなかったＰＤＵを考慮するために、自動反復要求（ＡＲＱ）スキームを用いて通信しうる。この目的のために、受信機は、おのおののＰＤＵに関連するフィードバック・データを、送信機へ送り返し、アクノレッジメント（ＡＣＫ）または否定的アクノレッジメント（ＮＡＫ）を示す。ＮＡＫが受信された場合、送信機は、ＰＤＵを再送信しうる。しかしながら、可変長のＰＤＵを用いて、ＰＤＵは、利用可能な帯域幅に依存して、ＡＲＱ再送信中に再セグメント化されうる。したがって、長さインジケータは、おのおのの再送信において送信されたデータの判定に役立つ。
【００２９】
しかしながら、説明するように、データは、リアル・タイム特性により、基地局１０２とモバイル・デバイス１１６および／またはモバイル・デバイス１２２との間の通信において、期限切れになり無効になる。したがって、長さインジケータは、受信機が破棄しうる無効になったデータを示す帯域内インジケーションを提供するために拡張または修正されうる。さらに、ＳＤＵデータは、データが無効になったときを示すために、タイマに関連付けられうる。例えば、モバイル・デバイス１１６は、ＳＤＵとその後の部分的なＳＤＵとを備えるＰＤＵを基地局１０２へ送信しうる。基地局１０２は、ＰＤＵを誤って受信し、ＮＡＫをモバイル・デバイス１１６へ送信しうる。その後、第１のＳＤＵの無効タイマが動作し、モバイル・デバイス１１６は、専用長さインジケータを含めるようにＰＤＵを再パックしうる。これは、第１のＳＤＵを、次に続く残りのＳＤＵまたはその一部とともに破棄し、再送信されるＰＤＵのペイロードを低減することを示す。別の例において、ＰＤＵは、次に続く部分的なＳＤＵの一部と、第１のＳＤＵが破棄されてから適合するその他のデータ（例えば、次に続く部分的なＳＤＵのさらなる部分、あるいは、１または複数のその他のＳＤＵ）を用いて再パックされうる。モバイル・デバイス１１６は、ＰＤＵを、基地局１０２へ送信する。そして、基地局１０２は、このとき、ＰＤＵを適切に受信したと仮定すると、専用長さインジケータを評価することによって、第１のＳＤＵが、破棄されたものと判定し、その後のＳＤＵの処理を続ける。それに加えて、あるいは、その代わりに、基地局１０２からモバイル・デバイス１１６および／またはモバイル・デバイス１２２への通信において、そのような帯域内無効ＳＤＵ破棄通知が利用されうることが認識されるべきである。したがって、ＳＤＵを破棄することを示す帯域内インジケーションは、破棄を示す個別のチャネルまたは媒体を求める必要なく提供される。
【００３０】
図２に移って、無線通信環境において適用される通信装置２００が例示される。この通信装置２００は、基地局またはその一部、モバイル・デバイスまたはその一部、あるいは、無線通信環境で送信されるデータを受信する実質的に任意の通信装置でありうる。通信装置２００は、例えば、ＳＤＵデータが無効になったときを示しうるＳＤＵ無効データ・タイマ２０２、ＰＤＵのための１または複数のＳＤＵの長さインジケータを示しうる長さインジケータ生成器２０４、および、１または複数の長さインジケータとともに、１または複数のＳＤＵあるいはその一部を備える１または複数のＰＤＵを生成するＰＤＵ生成器２０６のように、ＳＤＵが無効になったかを判定するためのモジュールを含みうる。また、無効判定は、例えば、ドロップ・ヘッド・キューで発見されるようなキュー・サイズに基づきうるか、または、その他の基準に基づきうる。
【００３１】
一例において、通信装置２００は、追加のレイヤとともに、ＲＬＣレイヤを用いて、１または複数のデバイスや基地局等へデータを送信しうる。送信されたデータは、サービス・データを示すＳＤＵを含み、プロトコル・レイヤによる送信のために、１または複数のＰＤＵに変換されうる。ＳＤＵ無効データ・タイマ２０２は、データが無効になったと考えられる時間にＳＤＵを関連付けうる。これは、例えば、リアル・タイム・アプリケーションの古いパケットが送信されないことを保証するために役立ち、新たなパケットのために利用可能なオーバ・ザ・エアによる通信リソースを残す。例えば、ＳＤＵは、１または複数のＡＲＱラウンドで送信されることに失敗した場合、送信された次のデータに依存して無関係になる。この点において、このＳＤＵの送信が通信プロトコルによって中断されたことを示すインジケーションが望まれうる。例えば、ラジオ・リンク・プロトコルでは、長さインジケータ生成器２０４は、可変長のＰＤＵ内のＳＤＵの境界を示すために、各ＳＤＵについて長さインジケータを生成する。この点において、ＰＤＵ生成器２０６は、示された長さインジケータとともに、１または複数のＳＤＵ、あるいは１または複数のＳＤＵの一部を含むＰＤＵを生成しうる。したがって、ＰＤＵを受信するデバイスは、（例えば、説明するように、ＳＤＵが１または複数のＰＤＵにおよぶ場合、）ＰＤＵまたは複数のＰＤＵ内のＳＤＵの開始場所および終了場所を判定しうる。
【００３２】
通信装置２００は、一例において、説明するように生成されたＰＤＵを、１または複数のデバイスへ送信し、正しくプロトコルが受信されたか、および／または、ＰＵＤが復号されたか否かをそれぞれ示すＡＣＫまたはＮＡＫを受信しうる。ＮＡＫが受信されると、利用可能なＰＤＵサイズが変更された場合にＰＤＵが再セグメント化され、再送信されうる。しかしながら、ＳＤＵ無効データ・タイマ２０２またはその他の無効検出が、前のＰＤＵで部分的に送信されたＳＤＵが、再送信前に無効になったことを示すのであれば、長さインジケータ生成器２０４は、最後のＰＤＵで受信されたＳＤＵデータが破棄されるべきであることを示す専用長さインジケータを示しうる。したがって、ＰＤＵ生成器は、再送信されたＰＤＵ内に専用長さインジケータを含めることと、無効ではないＳＤＵデータのみを含め、送信または再送信を必要とするゼロまたはゼロより多い無効なＳＤＵを除外するようにＰＤＵを再パックすることと、再パックされたＰＤＵをＡＲＱラウンドで送信することとを行いうる。再送信されるべきＰＤＵが、新たなＳＤＵで始まる場合、受信機は、前の送信において部分的なＳＤＵを受信してないだろうから、専用長さインジケータは必要とされない。したがって、無効のＳＤＵは、受信機に対して破棄を示す必要なく除去されうる。さらに、この目的のために、複数の隣接したＳＤＵが、再送信前に無効になる場合、前のＰＤＵにおいて最初のＳＤＵしか部分的に正しく送信されず、その後のＳＤＵが最初に受信されなかった場合、１つの専用長さインジケータのみが必要とされる。一例において、最初のＰＤＵと、再パックされたＰＤＵとは、同じＲＬＣシーケンス番号を有しうる。さらに、最初のＲＬＣ  ＰＤＵと再パックされたＲＬＣ  ＰＤＵとのサイズは異なりうることが認識されるべきである。
【００３３】
通信装置２００から再送信されたＰＤＵを受信すると、（図示しない）デバイスは、再送信ＰＤＵで送信された専用長さインジケータに少なくとも部分的に基づいて、前に部分的に受信したＳＤＵを破棄しうる。デバイスは、その後、再パックされた再送信ＰＤＵで送信されたＳＤＵを判定し続けうる。したがって、デバイスは、破棄情報を送信するために、個別のデータ・チャネルまたは媒体を必要とすることなく、無効なＳＤＵを帯域内インジケータにしたがって破棄しうる。
【００３４】
図３を参照して、無効なＳＤＵを破棄するために、帯域内インジケーションを通信する無線通信システム３００が例示される。このシステム３００は、互いに（および／または、（図示しない）任意の数の別の無線デバイスと）通信する無線デバイス３０２、３０４を含む。無線デバイス３０２、３０４はおのおの、基地局、モバイル・デバイス、あるいはそれらの一部でありうる。一例において、無線デバイス３０２は、順方向リンクすなわちダウンリンク・チャネルで情報を無線デバイス３０４へ送信し、さらに、無線デバイス３０２は、逆方向リンクすなわちアップリンク・チャネルで情報を無線デバイス３０４から受信しうる。さらに、システム３００は、ＭＩＭＯシステムでありうる。また、無線デバイス３０２、３０４は、プロトコル・レイヤによる送信のために、サービス・データをプロトコル・データに変換するＲＬＣレイヤで通信しうる。また、無線デバイス３０２において図示および後述する構成要素および機能は、一例において、その逆に、無線デバイス３０４においても存在することができ、図示する構成は、説明を簡単にするために、これら構成要素を除外している。
【００３５】
無線デバイス３０２は、例えば、（例えば、無線通信システム３００のリアル・タイム通信による）ＳＤＵ無効データ・タイマ３０６、１または複数のＳＤＵのための長さインジケータを提供する長さインジケータ生成器３０８、およびＳＤＵデータおよびそれぞれの長さインジケータとともにＰＤＵをパックまたは再パックしうるＰＵＤ生成器３１０のように、ＳＤＵが無効であるかを判定するモジュールを含んでいる。１または複数のＳＤＵまたはそれらの一部は、ＰＤＵ内にパックされうることが認識されるべきである。一例において、ＳＤＵの長さインジケータは、ＰＤＵ内の、ＳＤＵを終了させるＳＤＵの終了点を示しうる。これによって、ＳＤＵの最後の部分が送信された場合、次のＰＤＵで送信されるＳＤＵ部分しか備えないＰＤＵは、長さインジケータをもたない。別の例において、長さインジケータは、ＰＤＵ内のＳＤＵの境界に位置する特別な「エスケープ・シーケンス」でありうる。
【００３６】
無線デバイス３０４は、次の復号のために、ＰＤＵ内の１または複数のＳＤＵ（またはその一部）の位置を判定するＰＤＵ分析部３１２と、帯域内インジケータによって示されると、無効ＳＤＵデータを破棄するＳＤＵ破棄部３１４とを含みうる。無線デバイス３０２、３０４はさらに、例えばＡＲＱのように、通信における信頼性を高めることを容易にするために冗長性を提供する自動再送信スキームを用いて通信しうる。一例において、無線デバイス３０２は、１または複数の完全あるいは部分的なＳＤＵのみならず、もしも適用可能であれば、所与のＳＤＵを終了させる長さインジケータをも備える可変長のＰＤＵを無線デバイス３０４へ送信しうる。
【００３７】
一例において、無線デバイス３０２は、無線デバイス３０４に送信するサービス・データに関連するＳＤＵを生成しうる。ＳＤＵ無効データ・タイマ３０６はさらに、説明するように、ＳＤＵが無効になったときを示すために、ＳＤＵについてタイマを設定しうる。無効判定はまた、一例において、例えばドロップ・ヘッド・キューで見られるようなキュー・サイズに基づきうるか、あるいは、追加／代替基準に基づきうる。長さインジケータ生成器３０８は、ＳＤＵを終了させる長さインジケータを生成し、ＰＤＵ生成器３１０は、ＰＤＵ内でＳＤＵが終了する長さインジケータとともに、１または複数のＳＤＵまたはその一部を備える可変長のＰＤＵを生成しうる。その後、無線デバイス３０２は、無線デバイス３０４へＰＤＵを送信しうる。ＰＤＵ分析部３１２は、ターミネータに少なくとも部分的に基づいてＳＤＵ位置を判定するためにＰＤＵを評価し、例えば、最後のＳＤＵが終了していない場合、その後のＰＤＵを待つ。長さインジケータは、それとは別に、ＳＤＵ長さを示すために、ＰＤＵのヘッダに存在しうることが認識されるべきである。
【００３８】
例によれば、無線デバイス３０４は、部分的（例えば、終了していない）ＳＤＵで終了する第１のＰＤＵを受信しうる。そして、正しい受信を示すために、無線デバイス３０４は、応答として、ＡＣＫを無線デバイス３０２へ送信しうる。その後、長さインジケータ生成器３０８から得られ、部分的なＳＤＵの終了位置を示す長さインジケータとともに、前の、終了していないＳＤＵの残りを備えるその後のＰＤＵを、ＰＤＵ生成器３１０が生成しうる。ＳＤＵ無効データ・タイマ３０６は、部分的なＳＤＵの第１の部分を有する、前のＰＤＵの送信時に、あるいは、このプロトコルまたはこのデバイスにおけるＳＤＵの最初の受信時等に、起動されうることが認識されるべきである。無線デバイス３０２は、例えば、次のＰＤＵを無線デバイス３０４へ送信し、無線デバイス３０４は、このＰＤＵを誤って受信すると、例えば、ＮＡＫを無線デバイス３０２に送信することによってそれを示す。したがって、無線デバイスは、ＡＲＱスキームにしたがって、再送信のためのＰＤＵを準備しうる。
【００３９】
一例において、ＳＤＵ無効データ・タイマ３０６は、再送信前にＳＤＵが無効であることを示し、ＰＤＵ生成器３１０は、割り当てられたＰＵＤサイズ内に適合する部分的なＳＤＵおよび／またはその後のＳＤＵとともに、部分的なＳＤＵデータの破棄を示す専用長さインジケータ（および、適用可能であれば、関連する長さインジケータ）とともにＰＤＵを再パックしうる。ＰＤＵは、無線デバイス３０４へ送信されうる。無線デバイス３０４は、このＰＤＵを正しく受信すると、ＰＤＵ分析部３１２を用いて評価しうる。ＰＤＵ分析部３１２は、ＰＤＵ内の専用長さインジケータを受信し、これをＳＤＵ破棄部３１４へ伝送する。ＳＤＵ破棄部３１４は、前のＰＤＵで部分的に受信されたＳＤＵを破棄し、ＰＤＵ分析部３１２は、ＰＤＵで送信された次のＳＤＵまたはその一部を判定および評価しうる。
【００４０】
上述したように、送信されたＰＤＵが、１を超える終了したＳＤＵを備え、この１を超えるＳＤＵのＳＤＵタイマが無効データを示し、ＰＤＵが、再送信を要求する場合、長さインジケータ生成器３０８によって１つの専用長さインジケータのみが生成され、ＰＤＵ生成器３１０によってＰＤＵ内に配置されることが認識されるべきである。無線デバイス３０４が、最初に正しく受信された送信において、部分的なＳＤＵ以上を受信しないので、次に送信されたＳＤＵが誤って受信され、結果として無効になることに気付かない。しかしながら、いくつかのアプリケーションによって、受信プロトコルは、どれくらい多くのＳＤＵが破棄されたかを知ることができうる。例えば、破棄されたＳＤＵの数に等しい、専用長さのインジケータの数が含まれうる。別のオプションは、専用長さインジケータ内で破棄されたＳＤＵの数をリストすることでありうる。
【００４１】
別の例において、ＳＤＵデータが、送信前に無効になった場合、無線デバイス３０２、３０４によって、高次の通信レイヤが、破棄を取り扱うことができるようになる。例えば、データが既に無効になった場合に再送信がなされると、ＰＵＤ生成器３１０は、ＳＤＵの残りのバイトのうちのいくつかまたはすべてを、切り詰める。すなわち、切り詰められたＳＤＵの終了を示す、長さインジケータ生成器３０８からの通常の長さインジケータを伴う、再送信ＰＤＵ内の１または複数のランダムなバイトと交換することによって切り詰める。この方法で、受信プロトコルは、切り詰められたＳＤＵを、破棄されたＳＤＵとして必ずしも識別する必要はなく、さらなる処理のために上部レイヤに渡しうる。この方法は、切り詰められたＳＤＵを、例えばＴＣＰ／ＩＰチェックサム等のような他の手段に基づいて破棄するために、上部レイヤに依存する。ＰＤＵ生成器３１０は、ＰＤＵの残りを、その後のＳＤＵまたはその一部で満たし、このＰＤＵを無線デバイス３０４へ送信しうる。このＰＤＵを受信すると、ＰＵＤ分析部３１２は、長さインジケータに基づいてＳＤＵを判定し、高次レベルのアプリケーションがその後ＳＤＵを利用しうる。（図示しない）このアプリケーションは、ＳＤＵを判定し、一例において、ＰＤＵ生成器３１０によって実施された切り詰めに基づいて破棄する。同様に、再送信前に時間切れになった無効タイマを有する複数のＳＤＵが切り詰められ、送信されることにより、より高次のレベルのアプリケーションへ破棄を任せる。
【００４２】
図４に移って、１または複数のＰＤＵとしてＳＤＵを送信する試行４００および再送信する試行４０２の例が示される。ＲＬＣレイヤ４１８によって１または複数のＰＤＵ４１０、４１２／４２０、４１４、４１６にパックされる複数のＳＤＵ４０４、４０６、４０８が提供される。送信４００では、Ｎ番目のＳＤＵ４０４が、Ｍ番目のＰＤＵ４１０に部分的にパックされうる。Ｍ番目のＰＤＵ４１０は、デバイスへ送信されうる。このデバイスは、Ｍ番目のＰＤＵ４１０の受信が成功したことを示すＡＣＫを返送する。その後、Ｎ番目のＳＤＵ４０４の残りとＮ＋１番目のＳＤＵ４０６の一部とともにパックされたＭ＋１番目のＰＤＵ４１２のみならず、ＳＤＵ４０６の一部およびＳＤＵ４０８を含むＰＤＵ４１４とが、デバイスへ送信されうる。しかしながら、Ｍ＋１番目のＰＤＵ４１２とＭ＋２番目のＰＤＵ４１４とを送信すると、デバイスは、Ｍ＋１番目のＰＤＵ４１２を受信した場合には、失敗を示すＮＡＫを返送し、Ｍ＋２番目のＰＤＵ４１４を受信した場合には、成功を示すＡＣＫを返送する。ＡＲＱを用いて、Ｍ＋１番目のＰＤＵ４１２は、４０２に示すように、再パックされ、再送信される。
【００４３】
既に述べたように、（例えば、リアル・タイム構成における古いデータのように）価値の無いデータを送信するのに時間が費やされないことを保証するために、ＳＤＵは、無効データに関連付けられうる。再送信４０２では、Ｎ番目のＳＤＵ４０４のＳＤＵ無効タイマが終了したことは、Ｎ番目のＳＤＵ４０４が最初の送信の後に無効になったことを示す。したがって、Ｍ＋１番目のＰＤＵ４１２を再送信する前に、専用長さインジケータが、Ｍ＋１番目のＰＤＵ４１２内に配置され、Ｎ番目のＳＤＵ４０４である既に発行されたＳＤＵを破棄するように指示する。Ｍ＋１番目のＰＤＵ４１２は、部分的に残ったＮ番目のＳＤＵ２０２データがもしもヘッダ内に無いのであれば、専用長さインジケータを除いて、部分４２０内にデータ無しで再パックされうる。これは、再送信のペイロードを縮小し、無効ではないデータの配信を促進する。別の例において、Ｎ＋１番目のＳＤＵ４０６の一部が、部分４２０にパックされ、追加のデータまたはＳＤＵが、ＰＤＵ４１２の残りの空間を埋める。その後、ＰＤＵ４１２／４２０がデバイスへ送信され、このデバイスは、専用長さインジケータを読み取り、図示するように、Ｎ番目のＳＤＵ４０４を伝送するＭ番目のＰＤＵ４１０部分を破棄する。それに加えて、デバイスは、再送信されたＭ＋１番目のＰＤＵ４１２／４２０における追加のＳＤＵ位置を決定しうる。
【００４４】
図５および図６を参照して、例えばラジオ・リンク・プロトコルのようなＡＲＱプロトコル・レイヤにおいてデータを破棄することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４５】
図５に移って、無効のＳＤＵを示す帯域内インジケーションを容易にする方法５００が示される。５０２において、再送信のために、ＮＡＫ  ＰＤＵが準備されうる。一例において、部分的なＳＤＵを備えるＰＤＵが送信される。ここで、ＳＤＵのその他の部分は、送信され、正しく受信されている。例えば、ＰＤＵが誤って受信され、ＮＡＫが受信されている。ＡＲＱスキームでは、ＮＡＫデータ・ユニットが再送信されうる。５０４では、ＰＤＵ内のＳＤＵについて、無効データ・インジケーションが受信される。例えば、これは、本明細書で説明するように、ＳＤＵおよび／またはその他の無効データ・インジケータを受信すると初期化されるタイマから受信されうる。説明するように、無線ネットワークにおけるデータは、通信のリアル・タイム特性により、および／または、アプリケーションの意味により無効になる。
【００４６】
５０６では、破棄を示す、ＳＤＵの無効データ・インジケータが、１または複数のその他のＳＤＵとともに、再送信ＰＤＵへパックされうる。一例では、無効データ・インジケータは、ＳＤＵ破棄を示す専用長さインジケータでありうる。この点において、ＳＤＵデータは再送信される必要は無く、再送信ＰＤＵのペイロードを低減する。別の例において、無効データ・インジケータは、ＰＤＵ内でＳＤＵを切り詰めることを含みうる。これによって、高次レイヤのアプリケーションが、通常の長さのインジケータを用いて破棄を取り扱うことが出来るようになる。さらに、一例では、ＮＡＫ  ＰＤＵが、まだ無効になっていない追加のＳＤＵデータを送信することを試みる。このデータも同様に、無効データ・インジケータとともに再送信ＰＤＵ内にパックされうる。５０８では、ＰＤＵが、破棄されたＳＤＵデータ無しで再送信されうる。ＰＤＵの受信機は、その後、既に送信したＳＤＵ部分を破棄しうる。
【００４７】
図６に移って、再送信されたＰＤＵで受信した帯域内通知にしたがって、前に受信した１または複数のＳＤＵを破棄することを容易にする方法６００が例示される。６０２では、再送信されたＰＤＵが受信される。例えば、これは、前のＰＤＵのＮＡＫに応答して、ＡＲＱのラウンドで受信されうる。前のＮＡＫ  ＰＤＵは、ＳＤＵの残りの部分のみならず、１または複数の追加のＳＤＵまたはその一部を備えうる。６０４では、無効ＳＤＵデータが、専用長さインジケータによってＰＤＵ内で識別されうる。それに加えて、ＰＤＵは、１または複数のＳＤＵが無効ではない限り、前に送信された１または複数の追加のＳＤＵを備えうる。６０６では、前に受信されたＳＤＵの一部が破棄されうる。これは、既に述べたように、ＮＡＫ  ＰＵＤで送信された残りの部分に関連する最初の部分でありうる。６０８では、再送信されたＰＤＵにおける残りのＳＤＵデータが処理されうる。これは、例えば、まだ無効になっておらず、前に追加で送信された１または複数のＳＤＵを含みうる。
【００４８】
本明細書に記載された１または複数の態様にしたがって、説明するように、ＳＤＵデータの無効状態を判定することに関する推論がなされることが認識されるだろう。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４９】
図７は、帯域内無効データ・インジケータを備えるＰＤＵを送信することを容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５０】
モバイル・デバイス７００はさらにメモリ７０８を備えうる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５１】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５２】
プロセッサ７０６および／または受信機７０２はさらに、（例えば、アプリケーションから受信した）１または複数のＳＤＵの無効状態を判定しうる無効データ・インジケータ７１０と、別のデバイスへ送信するＰＤＵを生成しうるＰＤＵ生成器７１２とに動作可能に結合されうる。一例では、無効データ・インジケータ７１０は、ＳＤＵを受信すると、ＳＤＵが無効になるときを判定するために、タイマを初期化しうる。無効になると、（例えば、前のＮＡＫ送信によって）ＳＤＵがまだ正しく受信されねばならないのであれば、無効データ・インジケータ７１０は、無効なデータの帯域内通知を生成し、再送信ＰＤＵのペイロードを減少させるために、このデータを送信しない。ＰＤＵ生成器７１２は、帯域内通知のみならず、まだ無効ではなく、前に送信されたＮＡＫ  ＳＤＵを備える再送信ＰＤＵを生成しうる。一例では、帯域内通知は、破棄を示すＳＤＵの専用長さインジケータでありうる。デバイスは、受信すると、前に受信していたＳＤＵの一部を破棄しうる。別の例では、帯域内通知は、再送信されたＰＤＵ内のＳＤＵデータを切り詰めることと、切り詰められたデータの末尾に通常の長さインジケータを含めることとを含みうる。これによって、ＳＤＵは、受信機において、より高次のアプリケーションへ伝送されうる。この受信機は、切り詰められたデータが、データが破棄されたことを示していると判定しうる。モバイル・デバイス７００はさらに、信号を変調する変調器７１４と、この信号を例えば基地局、別のモバイル・デバイス等へ送信する送信機７１６とを備える。プロセッサ７０６と別に示されているが、無効データ・インジケータ７１０、ＰＵＤ生成器７１２、復調器７０４、および／または、変調器７１４は、プロセッサ７０６または複数のプロセッサ（図示せず）のうちの一部でありうることが認識されるべきである。
【００５３】
図８は、１または複数の前に部分的に受信したＳＤＵを破棄するために、帯域内インジケーションを受信することを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、１または複数のＰＤＵ内のＳＤＵ位置を判定するＰＤＵ分析部８１８と、無効なＳＤＵを破棄するＳＤＵ破棄部８２０とに結合されうる。
【００５４】
例によれば、ＰＤＵ分析部８１８は、ＰＤＵを受信し、評価して、ＳＤＵ位置および／またはコンテンツを判定する。それに加えて、ＰＤＵ分析部８１８は、ＰＤＵ内の帯域内破棄通知を検出しうる。一例において、ＳＤＵの破棄通知は、ＳＤＵの専用長さインジケータでありうる。別の例において、破棄通知は、説明するように、高次レイヤのアプリケーション向けであることが意図されうる。専用長さインジケータが受信された場合、破棄されたＳＤＵのうちの前に受信された部分を破棄するために、ＳＤＵ破棄部８２０が利用されうる。ＰＤＵ分析部８１８は、残りのＳＤＵデータの評価を続けうる。さらに、プロセッサ８１４とは別に示されているが、ＰＤＵ分析部８１８、ＳＤＵ破棄部８２０、復調器８１２、および／または、変調器８２２は、プロセッサ８１４あるいは複数のプロセッサ（図示せず）の一部でありうることが認識されるべきである。
【００５５】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、構成（図４）、および／または、方法（図５および図６）を適用しうることが認識されるべきである。
【００５６】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００５７】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００５８】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００５９】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６０】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６１】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６２】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６３】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６４】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００６５】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６６】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６７】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００６８】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６９】
図１０に示すように、帯域内ＳＤＵ破棄インジケータを備えるＰＤＵを再送信するシステム１０００が例示される。例えば、システム１０００は、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、ＳＤＵが無効になったとのステータスを受信するための電子構成要素１００４を含みうる。例えば、この無効データ・ステータスは、ＳＤＵが受信されると初期化されるタイマから受信される。さらに、論理グループ１００２は、ＳＤＵの無効ステータスに少なくとも部分的に基づいて、帯域内無効データ・インジケータとともに再送信ＰＤＵをパックするための電子構成要素１００６を備えうる。例えば、説明するように、前の送信を試みた後に、ＰＤＵのＮＡＫが受信されうる。しかしながら、前の送信と再送信との間で、１または複数のＳＤＵが無効になりうる。
【００７０】
帯域内インジケータは、ＳＤＵの破棄を示す専用長さインジケータになりえる。この長さインジケータは、一般に、ＳＤＵの長さを示すために利用される。この点において、ＳＤＵは、無効になった場合、再送信される必要はなく、再送信されたＰＤＵのペイロードおよび関連する帯域幅の浪費を低減することができる。別の例によれば、説明するように、無効なデータおよび関連する帯域幅を再送信することは、再送信されたＳＤＵを送信機プロトコルが切り詰めることによって回避され、ＳＤＵの終了を示すために通常の長さインジケータを用い、データの破棄を判定するために、高次レイヤのアプリケーションに依存する等をしうる。さらに、論理グループ１００２は、再送信されたＰＤＵを１または複数のデバイスへ送信するための電子構成要素１００８を備えうる。一例において、受信デバイスは、前に部分的に受信した１または複数のＳＤＵを破棄するために、無効データ・インジケータを利用しうる。さらに、システム１０００は、電子構成要素１００４、１００６、１００８に関連付けられた機能を実行するための命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００７１】
図１１に移って、無線通信ネットワークにおいて受信された帯域内インジケータにしたがってＳＤＵを破棄するシステム１０００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。システム１１００は、無効となったＳＤＵを破棄することを容易にする論理グループ１１０２を含む。論理グループ１１０２は、再送信されたＰＤＵを受信するための電子構成要素１１０４を含みうる。説明するように、ＰＤＵは、ＰＤＵを送信するための前の試みに関連して受信したＮＡＫに基づいて再送信されうる。ＰＤＵは、再送信される前に再パックされうる。さらに、論理グループ１１０２は、再送信されたＰＤＵにおける専用長さインジケータを検出するための電子構成要素１１０６を含みうる。専用長さインジケータは、前に部分的に送信されたＳＤＵが無効になると、それを破棄することを示しうる。さらに、論理グループ１１０２は、専用長さインジケータに少なくとも部分的に基づいて、前に受信したＳＤＵの一部を破棄するための電子構成要素１１０８を含みうる。したがって、無効となったＳＤＵは、帯域内通知を用いて破棄されうる。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００７２】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011505730.tif 000003
【図２】
2011505730.tif 000004
【図３】
2011505730.tif 000005
【図４】
2011505730.tif 000006
【図５】
2011505730.tif 000007
【図６】
2011505730.tif 000008
【図７】
2011505730.tif 000009
【図８】
2011505730.tif 000010
【図９】
2011505730.tif 000011
【図１０】
2011505730.tif 000012
【図１１】
2011505730.tif 000013
【国際調査報告】
2011505730.tif 000014
2011505730.tif 000015
2011505730.tif 000016